(57)【要約】【課題】本発明は、浴室室内機を小型に維持しつつ、浴室室内機内に液液熱交換器等を設置することができ、さらに制御基板が熱の影響により発生し得る不具合を防止できるミスト機能付浴室暖房装置を提供することを課題とする。【解決手段】ミスト機能付浴室暖房装置７１では、浴室室内機７２に噴霧用の温水を作る機能を持たせており、筐体１２内に、暖房用熱交換機６と、ミスト用液液熱交換器１５と、コントローラ５０とを備えている。ミスト用液液熱交換器１５は、暖房用熱交換機６とコントローラ５０との間に位置し、縦置きにしつつ、辺の長さが短い厚み側の面を浴室室内機７２の正面側に向けて取り付けられている。また、ミスト用液液熱交換器１５は、流路が積層されたプレート式熱交換器であり、低温の湯水が流れる流路と隣接する外壁がコントローラ５０側に向いている。【選択図】図１４
2010101614.tif 000002
【特許請求の範囲】
【請求項１】
浴室内に設置される浴室室内機を備えたミスト機能付浴室暖房装置において、
前記浴室室内機は、高温の熱媒体の供給を受けて浴室内を暖房する暖房用熱交換器と、浴室内に噴霧される湯水を加熱するミスト用液液熱交換器と、暖房機能や噴霧機能を制御する制御基板とを備え、
前記ミスト用液液熱交換器は、前記暖房用熱交換器と前記制御基板との間に配置されていることを特徴とするミスト機能付浴室暖房装置。
【請求項２】
前記ミスト用液液熱交換器は、湯水及び熱媒体が流れる平面状の流路が交互に積層されたプレート式熱交換器であって、
前記ミスト用液液熱交換器における外壁の内、低温の湯水が流れる流路のみに隣接する低温側外壁が、他のいずれの外壁よりも前記制御基板に近い配置であることを特徴とする請求項１に記載のミスト機能付浴室暖房装置。
【請求項３】
前記ミスト用液液熱交換器は、外観形状がほぼ直方体であると共に、積層方向に延びる辺の長さが、他のいずれの辺の長さより短いものであることを特徴とする請求項２に記載のミスト機能付浴室暖房装置。
【請求項４】
前記ミスト用液液熱交換器には、給水源に接続されて低温の湯水を供給する低温湯水配管と、ミスト用液液熱交換器の内部において加熱された湯水が排出される高温湯水配管が接続されており、
前記低温湯水配管は、前記高温湯水配管より制御基板に近い位置に配置されていることを特徴とする請求項１乃至３のいずれかに記載のミスト機能付浴室暖房装置。
【請求項５】
前記浴室室内機の外枠を形成する筐体を有し、
前記暖房用熱交換機は、筐体の背面側から正面側に掛けて一連して配置されて囲繞空間を形成し、
前記囲繞空間は、筐体の側面に交差する方向に貫通した開口を有し、
前記ミスト用液液熱交換器は、前記囲繞空間のいずれか一方の開口を閉塞し得る閉塞部材としての機能を備えていることを特徴とする請求項１乃至４のいずれかに記載のミスト機能付浴室暖房装置。
【請求項６】
前記浴室室内機の外枠を形成する筐体を有し、
前記暖房用熱交換機は、筐体の背面側から正面側に掛けて一連して配置されて囲繞空間を形成し、
前記囲繞空間内部には、ミスト用液液熱交換器の一部又は全部が存在することを特徴とする請求項１乃至４のいずれかに記載のミスト機能付浴室暖房装置。
【発明の詳細な説明】
【技術分野】
【０００１】
本発明は、浴室内を暖房する暖房装置であって、湯水を霧状にして噴霧する機能を備えたミスト機能付浴室暖房装置に関するものである。
【背景技術】
【０００２】
保湿浴と称される入浴法が知られている。保湿浴は、入浴者が霧状雰囲気に入る入浴方法で、ミストサウナも保湿浴の一種である。ただしミストサウナは浴室内を高温状態に保つのに対し、保湿浴は低温状態の霧を使用する場合もある点でミストサウナよりも広い概念であると言える。
保湿浴は、ミストノズルを浴室内に設置し、高温又は常温の湯水をミストノズルから浴室内に噴霧し、入浴者がこの霧状雰囲気内に入る行為である。
保湿浴は、入浴者の心をリラックスさせる効果や、肌の潤いを高める効果があり、心身の健康増進に役立つ。
【０００３】
従来、保湿浴は公衆用の入浴施設でのみ実施することができるものであったが、近年、家庭用の保湿浴装置が開発されている。
家庭用の保湿浴装置には、単に浴室にノズルだけを取り付けたものや、浴室暖房装置と一体となったミスト機能付浴室暖房装置がある。
【０００４】
ミスト機能付浴室暖房装置は、一般に、浴室内に設置される浴室室内機と、浴室外に設置される屋外ユニットによって構成される。
そして、浴室室内機には、浴室内を暖房する暖房用熱交換器と、ミストノズルが設けられている。また屋外ユニットは屋外に設けられ、当該屋外ユニットには、湯水を加熱する熱源と、熱源で加熱された湯水を利用して間接加熱する液液熱交換器や、湯水の流れを制御する電磁弁が内蔵されている。
そして、屋外ユニットによって熱媒体（水を主体とするものが多い）が加熱される。また従来技術においては、屋外ユニット内に液液熱交換器や電磁弁が設けられ、当該液液熱交換器によって温水が作られる。即ち、屋外ユニットに内蔵された液液熱交換器の一次側に、熱源で加熱された熱媒体を通過させ、二次側に水道水を通過させて水道水を昇温する。
【０００５】
そして、屋外ユニットから熱媒体と昇温された水道水が浴室室内機に供給される。より具体的には、浴室室内機内の暖房用熱交換器に熱媒体が供給され、ミストノズルに昇温された水道水が供給される。
そして浴室室内機内の暖房用熱交換器によって浴室内の空気と、熱媒体が熱交換されて浴室内が暖房される。またミストノズルから昇温された水道水が霧状に噴射される。
【先行技術文献】
【特許文献】
【０００６】
【特許文献１】特開２００６−２０４３５８号公報
【発明の概要】
【発明が解決しようとする課題】
【０００７】
従来技術のミスト機能付浴室暖房装置は、屋外ユニットに液液熱交換機が内蔵されており、屋外ユニット内で噴霧用の温水を作る。そして屋外ユニット内で作られた噴霧用の温水を浴室室内機に送水し、ミストノズルから放出するものである。
このように、従来技術のミスト機能付浴室暖房装置は、屋外ユニットに液液熱交換機や電磁弁が内蔵されているため、屋外ユニットが過度に大きくなってしまうという問題点がある。
また、従来技術のミスト機能付浴室暖房装置は、屋外ユニット内で作られた噴霧用の温水を浴室室内機に送水するものであるから、屋外ユニットと浴室室内機とを送水配管で接続する必要があり、配管工事が面倒である。
【０００８】
そこで、浴室室内機側に液液熱交換機等を配置し、浴室室内機で噴霧用の温水を作る構成としたミスト機能付き浴室暖房装置が勘案される。これにより、屋外ユニットを小型化することができる。しかしながら、一般的に浴室室内機の筐体の大きさは小さく、その大きさを維持して浴室室内機内部に、液液熱交換器や電磁弁を設置するための空間を見出すことは困難であった。
【０００９】
また、浴室室内機の大きさを小型に維持して、その浴室室内機の筐体内に液液熱交換器等を設置できたとしても、液液熱交換器に流れる高温の熱媒体や湯水の影響により、浴室室内機内部に配された制御基板が不具合を生じる懸念がある。
【００１０】
そこで、本発明は、従来技術の上記した問題に鑑み、浴室室内機を小型に維持しつつ、浴室室内機内に液液熱交換器等を設置することができ、さらに制御基板が熱の影響により発生し得る不具合を防止できるミスト機能付浴室暖房装置の提供を課題とする。
【課題を解決するための手段】
【００１１】
上記した課題を解決するための請求項１に記載の発明は、浴室内に設置される浴室室内機を備えたミスト機能付浴室暖房装置において、前記浴室室内機は、高温の熱媒体の供給を受けて浴室内を暖房する暖房用熱交換器と、浴室内に噴霧される湯水を加熱するミスト用液液熱交換器と、暖房機能や噴霧機能を制御する制御基板とを備え、前記ミスト用液液熱交換器は、前記暖房用熱交換器と前記制御基板との間に配置されていることを特徴とするミスト機能付浴室暖房装置である。
【００１２】
本発明のミスト機能付浴室暖房装置では、浴室室内機側にミスト用液液熱交換器が内蔵されており、浴室室内機側で水道水を昇温して噴霧用の温水を作る構成である。
特に、本発明のミスト機能付浴室暖房装置では、暖房用熱交換器と制御基板との間にミスト用液液熱交換器を配した構成としている。即ち、浴室室内機における湯水や熱媒体の配管の取り出し口を１つの箇所又は近接した位置にまとめることができ、さらにその取り出し口から暖房用熱交換器及びミスト用液液熱交換器に接続する配管スペースを小さくすることができる。そのため、浴室室内機内部にミスト用液液熱交換器を配した場合であっても、当該ミスト用液液熱交換器及びそれに接続する配管に必要以上のスペースを確保する必要がない。従って、本発明のミスト機能付浴室暖房装置によれば、浴室室内機を小型に維持しつつ、浴室室内機内にミスト用液液熱交換器等を設置することができる。
また、例えば、ミスト用液液熱交換器に、湯水や熱媒体が流れる流路が層状に積層されたプレート式熱交換器が採用した場合、低温の湯水が流れる流路を制御基板に近づけた配置とすることで、制御基板が熱の影響を受けることを防止できる。即ち、本発明のミスト機能付浴室暖房装置によれば、制御基板が熱の影響により、暖房機能や噴霧機能が制御できない等の不具合が生じない構成をとることができる。
【００１３】
請求項２に記載の発明は、前記ミスト用液液熱交換器は、湯水及び熱媒体が流れる平面状の流路が交互に積層されたプレート式熱交換器であって、前記ミスト用液液熱交換器における外壁の内、低温の湯水が流れる流路のみに隣接する低温側外壁が、他のいずれの外壁よりも前記制御基板に近い配置であることを特徴とする請求項１に記載のミスト機能付浴室暖房装置である。
【００１４】
本発明のミスト機能付浴室暖房装置では、ミスト用液液熱交換器がプレート式熱交換器であって、そのミスト用液液熱交換器の外壁の内、低温の湯水が流れる流路に隣接する低温側外壁が、他のいずれの外壁よりも制御基板に近い配置であるため、制御基板が当該熱交換器を流れる高温の湯水又は熱媒体等の熱の影響を受けることがない。換言すると、制御基板の周囲の温度が、浴室室内機内にこもった熱により上昇する傾向にあっても、制御基板の近くに低温側外壁が配置されているため、制御基板の周囲の温度が一定以上上昇しない。即ち、本発明のミスト機能付浴室暖房装置では、制御基板が熱の影響を殆ど受けないため、不具合などを生じることがない。なお、ミスト用液液熱交換器に低温の湯水が流れる流路のみに隣接する外壁が２面設けられた場合であっても、いずれか１面を低温側外壁として、その外壁を制御基板に近い配置とする。
【００１５】
請求項３に記載の発明は、前記ミスト用液液熱交換器は、外観形状がほぼ直方体であると共に、積層方向に延びる辺の長さが、他のいずれの辺の長さより短いことを特徴とする請求項２に記載のミスト機能付浴室暖房装置である。
【００１６】
本発明のミスト機能付浴室暖房装置では、ミスト用液液熱交換器の外観形状がほぼ直方体であり、積層方向に延びる辺の長さが、他のいずれの辺の長さより短い。さらに、ミスト用液液熱交換器は、前記したように、低温の湯水が流れる流路にのみ隣接する低温側外壁が制御基板側に向けられている。即ち、ミスト用液液熱交換器は、積層方向に延びる長さが、制御基板と浴室用熱交換器との間隔に占める長さである。そのため、制御基板と浴室用熱交換器との間に占めるミスト用液液熱交換器の占有領域を最小限に抑えることができる。即ち、本発明によれば、ミスト用液液熱交換器を浴室室内機内にミスト用液液熱交換器を設けた場合であっても、浴室室内機をより小型にすることが可能である。
【００１７】
請求項４に記載の発明は、前記ミスト用液液熱交換器には、給水源に接続されて低温の湯水を供給する低温湯水配管と、ミスト用液液熱交換器の内部において加熱された湯水が排出される高温湯水配管が接続されており、前記低温湯水配管は、前記高温湯水配管より制御基板に近い位置に配置されていることを特徴とする請求項１乃至３のいずれかに記載のミスト機能付浴室暖房装置である。
【００１８】
本発明のミスト機能付浴室暖房装置では、低温湯水配管が高温湯水配管より制御基板に近い位置に配置されているため、高温湯水配管を流れる湯水の熱の影響により制御基板が不具合を生じることを防止できる。
【００１９】
請求項５に記載の発明は、前記浴室室内機の外枠を形成する筐体を有し、前記暖房用熱交換機は、筐体の背面側から正面側に掛けて一連して配置されて囲繞空間を形成し、前記囲繞空間は、筐体の側面側に開口を有し、前記ミスト用液液熱交換器は、前記囲繞空間のいずれか一方の開口を閉塞し得る閉塞部材としての機能を備えていることを特徴とする請求項１乃至４のいずれかに記載のミスト機能付浴室暖房装置である。
【００２０】
本発明のミスト機能付浴室暖房装置では、暖房用熱交換機が浴室室内機の筐体の背面側から正面側に掛けて一連して配置されて囲繞空間を形成し、その囲繞空間の側面側に形成されたいずれか一方の開口をミスト用液液熱交換器に閉塞された構成とされている。そのため、囲繞空間に形成された開口を一定以下の開度まで封鎖することが可能である。
ここで、囲繞空間には、一般的に送風機が配置され、その送風機により囲繞空間内に空気を取り込み、その空気を暖房用熱交換器で熱交換するため、加熱された空気の吐出口以外の開口を封鎖することで、効率的な熱交換が可能となる。そのため、従来技術では、別部材によって囲繞空間に形成される開口を閉塞していた。
そこで、本発明のミスト機能付浴室暖房装置では、ミスト用液液熱交換器が囲繞空間の開口を閉塞する閉塞部材として機能するため、開口を閉塞させるための別部材を要しない構成、あるいは閉塞し得ない箇所のみに別部材を用いる構成とすることができる。これにより、部材点数を抑えたり、別部材が占める領域を減縮でき、結果的に、製造コストを減縮することができる。
【００２１】
請求項６に記載の発明は、前記浴室室内機の外枠を形成する筐体を有し、前記暖房用熱交換機は、筐体の背面側から正面側に掛けて一連して配置されて囲繞空間を形成し、前記囲繞空間内部には、ミスト用液液熱交換器の一部又は全部が存在することを特徴とする請求項１乃至４のいずれかに記載のミスト機能付浴室暖房装置である。
【００２２】
かかる構成によれば、ミスト用液液熱交換器を暖房用熱交換機の領域に重ねることで、浴室室内機における制御基板とミスト用液液熱交換器と暖房用熱交換機が配列される方向に延びる長さを短くすることができる。従って、本発明のミスト機能付浴室暖房装置によれば、浴室室内機をより小型化にすることが可能である。
【発明の効果】
【００２３】
本発明のミスト機能付浴室暖房装置では、浴室室内機を小型に維持しつつ、浴室室内機内に液液熱交換機等を設置することができ、さらに制御基板が熱の影響により発生し得る不具合を防止できる。
【図面の簡単な説明】
【００２４】
【図１】本発明の第１実施形態のミスト機能付浴室暖房装置の構成図である。
【図２】図１のミスト機能付浴室暖房装置の配管回路図である。
【図３】本実施形態のミスト機能付浴室暖房装置の浴室室内機の正面図である。
【図４】図３の浴室室内機の筐体の表面側を取り除いた状態の実体配管図である。
【図５】図４の状態の実体配管図を斜め方向から観察した斜視図である。
【図６】本実施形態のミスト機能付浴室暖房装置で採用する屋外ユニットと換気扇ユニット及び給水接続ユニットの正面図である。
【図７】本実施形態のミスト機能付浴室暖房装置で採用する換気扇ユニット及び給水接続ユニットの正面図である。
【図８】図７の換気扇ユニット及び給水接続ユニットを他の角度から観察した斜視図である。
【図９】図７の換気扇ユニット及び給水接続ユニットの内部を示す斜視図である。
【図１０】換気扇ユニット及び給水接続ユニットの内部を示す斜視図であり、送風機を外した状態を示す。
【図１１】本発明の他の実施形態であり、ミスト熱媒用開閉弁とミスト水用開閉弁の双方をミスト用液液熱交換器に取り付けた状態を示す要部斜視図である。
【図１２】ミスト用液液熱交換器の概念図で、（ａ）は、平面図で、（ｂ）は、（ａ）のＡ−Ａ断面図で、（ｃ）は、（ａ）のＢ−Ｂ断面図である。
【図１３】本発明の第２実施形態のミスト機能付浴室暖房装置の浴室室内機の斜視図である。
【図１４】図１３の浴室室内機の筐体の正面側を取り除いた状態の斜視図である。
【図１５】図１４に示す浴室室内機内部における各部材のレイアウトを示す概念図である。
【図１６】第２実施形態のミスト機能付浴室暖房装置における暖房用熱交換機とミスト用液液熱交換器との関係を示す概念図である。
【図１７】図１５の状態におけるＹ部の実体配管を示す概念図である。
【図１８】暖房用熱交換機とミスト用液液熱交換器との関係の変形例を示す概念図で、（ａ）は、ミスト用液液熱交換器の全てが暖房用熱交換機と重なっている状態を示しており、（ｂ）は、ミスト用液液熱交換器の一部が暖房用熱交換機と重なっている状態を示している。
【発明を実施するための形態】
【００２５】
以下さらに本発明の実施形態について説明する。
本発明の実施形態のミスト機能付浴室暖房装置１は、図１の様に浴室５の内壁に取り付けられる浴室室内機２と屋外に取り付けられる屋外ユニット３によって構成される。
【００２６】
本実施形態のミスト機能付浴室暖房装置１は、浴室５内を暖房する機能と、浴室５内に霧状の湯水を噴霧する機能を備えており、浴室室内機２に熱動弁４、暖房用熱交換器６及び２個のミストノズル７を備えている。
暖房用熱交換器６は、気液熱交換器であり、屋外ユニット３から熱媒体の供給を受けて浴室内を暖房するものである。従って暖房用熱交換器６は、熱媒体を導入する熱媒導入口８と、熱媒体を排出する熱媒排出口１０を備えている。また暖房用熱交換器６の近傍には、送風機１１が設けられており、送風機１１によって浴室５内の空気を浴室室内機２の筐体１２内に取り込んで暖房用熱交換器６に接触させ、加熱した空気を筐体１２から浴室５側に排出する。
【００２７】
より具体的には、暖房用熱交換機６は、浴室室内機２の内部に配され、暖房用熱交換機６を構成する配管が浴室室内機２の背面側から正面側に掛けて左右方向（図４，５）に蛇行しており、浴室室内機２の側面から見るとほぼ一連した円弧を描くように配されている。従って、暖房用熱交換機６は、浴室室内機２の側面に対してほぼ直交する方向に貫通した囲繞空間１９（図５）を形成しており、当該囲繞空間１９内部に送風機１１が配置されている。即ち、送風機１１が起動されることで、囲繞空間１９内部に空気が取り込まれ、暖房用熱交換機６により加熱された空気が囲繞空間１９から浴室側に排出される。なお、本実施形態においては、囲繞空間１９の端部の開口を樹脂等により成形された図示しない閉塞部材により閉塞して、暖房用熱交換機６の効率的な熱交換を図っている。
【００２８】
ミストノズル７は、公知の一流体ノズルであり、図示しない孔を有し、加圧状態の湯水が供給されると、孔から湯水が霧状化されて噴霧される。
【００２９】
また本実施形態のミスト機能付浴室暖房装置１では、浴室室内機２に噴霧用の温水を作る機能を持たせている。
即ち本実施形態で採用する浴室室内機２は、筐体１２内に、ミスト用液液熱交換器１５と、ミスト熱媒用開閉弁１６と、ミスト水用開閉弁１７とを備えている。
【００３０】
ミスト用液液熱交換器１５は、プレート式熱交換器であり、外観形状は、直方体をしている。ミスト用液液熱交換器１５内には、熱媒体が通過する一次側流路と、湯水が通過する二次側流路が形成されている。具体的には、ミスト用液液熱交換器１５は、図１２に示すように、外壁により形成された熱交筐体２９と、平面状の一次側流路及び二次側流路とを有しており、熱交筐体２９内部で一次側流路と二次側流路とが交互に積層されて流路を形成したものである。なお、ミスト用液液熱交換器１５における一次側流路と二次側流路の合計は偶数となるように設定されている。そのため、積層面に平行な外壁に隣接する流路は、互いに異なる流体が流れる。本実施形態では、後述する４個の開口が設けられた外壁（低温側外壁）に隣接する流路に低温の湯水が流れ、その外壁に対して積層方向反対側に位置する外壁に隣接する流路に高温の熱媒体が流れる。
そして一次側流路に熱媒入口２０と熱媒出口２１が設けられている。また二次側流路には湯水入口２２と湯水出口２３が設けられている。
【００３１】
ミスト水用開閉弁１７及びミスト熱媒用開閉弁１６はいずれも電磁弁である。
【００３２】
屋外ユニット３は、内部に燃焼装置３０と熱交換器３１を備え、水を主体とする熱媒体を昇温するものである。また屋外ユニット３には図示しない循環ポンプが内蔵され、浴室室内機２との間で熱媒体を循環させることができる。
【００３３】
浴室室内機２の筐体１２には、熱媒体導入口３８、熱媒体排出口４０及び給水口４１が設けられている。そして熱媒体導入口３８から浴室室内機２の筐体１２内に熱媒体が導入される。また浴室室内機２の熱媒体排出口４０から筐体１２の外部に熱媒体が排出される。
【００３４】
なお、本実施形態では、図１の様に屋外ユニット３と浴室室内機２とは、建屋の壁３５を隔てて設置されており、浴室室内機２は、建屋の壁３５の内側であって、浴室５の内壁に取り付けられている。
また屋外ユニット３は、屋外であって建屋の壁３５の近傍に設けられている。そして図１の様に建屋の壁３５に開口３６が設けられ、屋外ユニット３と浴室室内機２とを繋ぐ２本の渡り配管６５，６６が当該開口３６内に挿通され、浴室室内機２内の熱媒体回路と、屋外ユニット３内の熱媒体回路とを環状に接続している。
本実施形態では、建屋の壁３５に設けられた開口３６は、換気口を兼ねるものであり、開口３６の外側には、換気扇ユニット６０が設けられている。また換気扇ユニット６０の近傍に給水接続ユニット６１が設けられている。
換気扇ユニット６０は、換気扇箱５９を有し、当該換気扇箱５９の内部に送風機６４が設けられたものであり、一部が換気口として開口する筐体である。
本実施形態では、換気扇箱５９の側面に配管取り出し開口が設けられている。
そして配管取り出し開口から、２本の渡り配管６５，６６と一本の給水管６７とが導出されている。なお給水管６７は、給水口４１を経て筐体内給水路４６、ミスト用液液熱交換器１５に繋がっている。
【００３５】
２本の渡り配管６５，６６と一本の給水管６７は、換気扇ユニット６０に隣接して設けられた給水接続ユニット６１に導入されている。
給水接続ユニット６１は、内部に減圧弁６８と電磁弁７０が内蔵されたものであり、給水管６７の先端に減圧弁６８が接続され、さらにその先に電磁弁７０の吐出側が接続されている。また電磁弁７０の吸い込み側には短い管又はチューブを介して接続継ぎ手が設けられ接続継ぎ手を介して上水源（水道管）に接続されている。従って電磁弁７０を開くと、減圧弁６８によって減圧された水道水が、浴室室内機２に供給される。
【００３６】
次に、浴室室内機２内の配管系統について説明する。
浴室室内機２内には、前記した様に暖房用熱交換器６及びミスト用液液熱交換器１５が内蔵されており、図２に示すように、暖房用熱交換器６及びミスト用液液熱交換器１５は、熱媒導入口３８の下流側が分岐されて並列に接続されている。
即ち熱媒体の導入側に注目すると、筐体１２の熱媒導入口３８は、二つに分岐され、一方の分岐管には熱動弁４を介して暖房用熱交換器６の熱媒導入口８が接続され、他方の分岐管にミスト用液液熱交換器１５の熱媒入口２０が接続されている。
また熱媒体の排出側に注目すると、暖房用熱交換器６の熱媒排出口１０と、ミスト用液液熱交換器１５の熱媒出口２１が合流して筐体１２の熱媒体排出口４０に接続されている。
【００３７】
そしてミスト用液液熱交換器１５の一次側流路に連通する流路にミスト熱媒用開閉弁１６が設けられている。
より具体的には、ミスト用液液熱交換器１５の一次側流路に連通する流路の上流側、即ち熱媒導入口３８から分岐されてミスト用液液熱交換器１５の熱媒入口２０に至る上流側熱媒体分岐流路４５にミスト熱媒用開閉弁１６が設けられている。
【００３８】
またミスト用液液熱交換器１５の二次側流路には、給水口４１から供給される水道水が流れる。即ちミスト用液液熱交換器１５の湯水入口２２は筐体内給水路４６によって給水口４１に接続されている。そしてミスト用液液熱交換器１５の湯水出口２３とミスト水用開閉弁１７との間にはノズル往き流路４７が接続され、さらにミスト水用開閉弁１７に設けられた接続管４８を経て２個のミストノズル７に接続されている。
【００３９】
従って、屋外ユニット３の燃焼装置３０を稼働させ、循環ポンプを運転し、浴室室内機２内の熱動弁４を開くと、暖房用熱交換器６を通過する流路に熱媒体が流れ、暖房用熱交換器６によって浴室５内を昇温することができる。
【００４０】
また屋外ユニット３の燃焼装置３０を稼働させ、循環ポンプを運転し、浴室室内機２内のミスト熱媒用開閉弁１６と、ミスト水用開閉弁１７とを開くと、浴室５内に湯の霧が噴霧される。
即ちミスト熱媒用開閉弁１６を開くと、ミスト用液液熱交換器１５の一次側流路が開いてミスト用液液熱交換器１５の一次側に高温の熱媒体が流れる。またミスト水用開閉弁１７とを開くと、ミスト用液液熱交換器１５の二次側流路が開いてミスト用液液熱交換器１５の二次側に水道水が流れる。その結果ミスト用液液熱交換器１５内で熱媒体と水道水とが熱交換され、水道水が昇温してミスト用液液熱交換器１５から排出され、ミストノズル７に流れ込む。そのためミストノズル７から湯が霧状に噴霧される。
【００４１】
次に本実施形態のミスト機能付浴室暖房装置１の実体配管レイアウトについて説明する。
【００４２】
本実施形態で採用する浴室室内機２は、図３，４に示すように、筐体１２内に暖房用熱交換器６及びミスト用液液熱交換器１５等が内蔵されており、筐体１２の下部に張り出し筐体５５が設けられ、当該張り出し筐体５５にミストノズル７が取り付けられている。
筐体１２は、樹脂その他を素材として作られたものであり、暖房用熱交換器６は、図４，５の様に筐体１２内の大部分の面積を占める。より具体的には、暖房用熱交換器６は、浴室室内機２の取付け姿勢を基準として一方に寄せられた位置に設けられている。具体的には、図面右側に寄った位置に暖房用熱交換器６が設けられている。
【００４３】
また筐体１２内の暖房用熱交換器６に対して反対側の辺部には、コントローラ（制御基板）５０が設けられている。
そしてコントローラ５０と暖房用熱交換器６の間の部位にミスト用液液熱交換器１５が設けられている。
これより、浴室室内機２における建屋の壁３５の外側から導入される湯水や熱媒体の配管の取り出し口を、近接した位置にまとめることができ、さらにその取り出し口から暖房用熱交換器６及びミスト用液液熱交換器１５に接続するために要する配管スペースを小さくすることができる。従って、本発明のミスト機能付浴室暖房装置１によれば、浴室室内機２を小型に維持しつつ、浴室室内機２内にミスト用液液熱交換器１５等を設置することができる。
【００４４】
ミスト用液液熱交換器１５は、前記した様にプレート式熱交換器であり、略直方体をしている。従って取付け姿勢を基準とすると、ミスト用液液熱交換器１５は、長辺Ａと短辺Ｂを有する長方形であり、長辺Ａを縦に、短辺Ｂを横にした姿勢（縦置き）で取り付けられている。
またミスト用液液熱交換器１５の厚さ（高さ，流路の積層方向に延びる長さ）は、前記した短辺Ｂよりも小さい。またミスト用液液熱交換器１５の厚さ（高さ，流路の積層方向に延びる長さ）は、暖房用熱交換器６のそれよりも薄い。従って筐体１２の前面部とミスト用液液熱交換器１５の正面部との間には隙間がある。そして本実施形態では、この隙間にミスト熱媒用開閉弁１６が設けられている。
【００４５】
即ち本実施形態では、図４の様にミスト用液液熱交換器１５の４個の開口たる熱媒入口２０、熱媒出口２１、湯水入口２２、湯水出口２３は、いずれも取付け姿勢を基準として正面側に向いて開口している。
ミスト用液液熱交換器１５を単独で観察すると、ミスト用液液熱交換器１５の上に、熱媒入口２０、熱媒出口２１、湯水入口２２、湯水出口２３があるとも言える。
なお本実施形態では、取付け姿勢を基準として下側の短辺Ｂ側に熱媒入口２０と湯水出口２３があり、上側の短辺Ｂ側に熱媒出口２１、湯水入口２２がある。
【００４６】
本実施形態では、４個の開口の内、熱媒入口２０にミスト熱媒用開閉弁１６が直接的に接続されている。そしてミスト熱媒用開閉弁１６は、前記したミスト用液液熱交換器１５の長方形形状に沿って縦置きされている。即ちミスト熱媒用開閉弁１６は、図４に示すように、その長手方向軸ｘ−ｘがミスト用液液熱交換器１５の長軸Ｘ−Ｘと平行になる姿勢で配置されている。またミスト熱媒用開閉弁１６のソレノイド部５１及び弁体部５２の大部分は、ミスト用液液熱交換器１５の長方形の部位と重なる。本実施形態では、ミスト熱媒用開閉弁１６の全てがミスト用液液熱交換器１５の長方形の部位と重なっているが、必ずしも全てが重なる必要はないが、ミスト熱媒用開閉弁１６の８０％以上の部位がミスト用液液熱交換器１５の長方形の部位と重なることが推奨される。
【００４７】
前記した様に、ミスト用液液熱交換器１５は、厚さの薄い直方体であり、その上部（取付け姿勢を基準とすると正面側）にミスト熱媒用開閉弁１６が重なっているから、ミスト用液液熱交換器１５の正面側の空間が有効利用される。
【００４８】
なお、ミスト用液液熱交換器１５は、複数の流路が層として積層されており、熱媒入口２０、熱媒出口２１、湯水入口２２、湯水出口２３が設けられた
【００４９】
また本実施形態では、ミスト水用開閉弁１７は、ミストノズル７の近傍に取り付けられている。
即ち本実施形態で採用する浴室室内機２は、筐体１２内の向かって左寄りの位置にミスト用液液熱交換器１５が内蔵されており、筐体１２の右寄りの位置の下部に張り出し筐体５５が設けられ、当該張り出し筐体５５にミスト水用開閉弁１７及びミストノズル７が配されている。
そのため前記した様にミスト水用開閉弁１７は、ミストノズル７の近傍にある。
【００５０】
具体的には、ミスト用液液熱交換器１５の下側短辺の位置に湯水出口２３が設けられており、湯水出口２３にノズル往き流路４７の基端側が接続され、筐体１２の張り出し筐体５５に配されたミスト水用開閉弁１７にノズル往き流路４７の先端側が接続されている。そしてミスト水用開閉弁１７の吐出側に、２本の接続管４８が設けられ、当該接続管４８にミストノズル７が接続されている。
【００５１】
次に、第２実施形態のミスト機能付浴室暖房装置７１（図１）について説明する。
本実施形態のミスト機能付浴室暖房装置７１は、先に説明した第１実施形態のミスト機能付浴室暖房装置１と比較すると、ミストノズル７の数（図１３、本実施形態では４個）と、浴室室内機７２内部の部材等のレイアウトが異なる点以外は、ほぼ同様の構成である。以下、異なる点に注目して説明する。
なお、第１実施形態のミスト機能付浴室暖房装置１と同様の部材には、同じ番号を付し、さらに、配管回路図については、図２を代用して説明を省略する。
【００５２】
本実施形態のミスト機能付浴室暖房装置７１では、図１３に示すように、筐体１２の下部に張り出し筐体７５が設けられ、当該張り出し筐体７５にミストノズル７が取り付けられている。
また、筐体１２内部においては、第１実施形態のミスト機能付浴室暖房装置１と同様に、暖房用熱交換器６は、図１４に示すように、筐体１２内の大部分の面積を占める。即ち、暖房用熱交換器６は、浴室室内機２の取付け姿勢を基準として一方に寄せられた配置であり、具体的には、図面右側に寄った位置に設けられている。
そして、筐体１２内の暖房用熱交換器６に対して反対側の辺部には、コントローラ（制御基板）５０が設けられ、そのコントローラ５０と暖房用熱交換器６の間の部位にミスト用液液熱交換器１５が設けられている。
【００５３】
具体的に説明すると、本実施形態では、ミスト用液液熱交換器１５は、第１実施形態と同様、長辺Ａを縦に、短辺Ｂを横にした姿勢（縦置きの姿勢）で取り付けられているが、図１５に示すように、厚み側（高さ側，流路の積層方向の長さ側）が、浴室室内機７２の取付け姿勢を基準として、正面側に向けられている。即ち、前記したように、ミスト用液液熱交換器１５の厚さ（高さ，流路の積層方向の長さ）は、他のいずれの辺（長辺Ａ，短辺Ｂ）よりも短いため、ミスト用液液熱交換器１５を前記した姿勢を維持して浴室室内機７２に取り付けることで、浴室室内機７２内部におけるミスト用液液熱交換器１５が左右方向（図１４）に占めるスペースがより小さくなる。
【００５４】
ここで、先に説明したように、暖房用熱交換機６は、筐体１２の背面側から正面側に掛けて一連して囲繞空間１９を形成している。そして、囲繞空間１９内に取り込まれる空気を効率的に熱交換するために、上記した第１実施形態では、囲繞空間１９の端部の開口を図示しない閉塞部材により閉塞していた。ところが、部品点数が多くなり、製造コストが増加するという不満があった。
【００５５】
そこで、本実施形態では、図１４に示すように、ミスト用液液熱交換器１５を前記した厚み側の面を浴室室内機２の正面に向けた姿勢で、ミスト用液液熱交換器１５の外壁を用いて囲繞空間１９のコントローラ５０側（一方）の開口を閉塞するように取り付けている。より具体的には、図１６に示すように、ミスト用液液熱交換器１５の後述する低温側外壁２９ａと対向する側の外壁が、囲繞空間１９を形成する暖房用熱交換機６の端部に当接するように取り付けられている。また、囲繞空間１９の他方の開口は、上記した実施形態と同様、図示しない閉塞部材により閉塞されている。これにより、ミスト用液液熱交換器１５が囲繞空間１９における閉塞部材として機能し、囲繞空間１９の開口が閉塞されるため、囲繞空間１９における効率的な熱交換を可能とする。従って、本実施形態では、ミスト用液液熱交換器１５を囲繞空間１９を閉塞部材として機能させることで、部材点数を減少でき、製造コストが減縮されると共に、暖房用熱交換機６における効率的な熱交換が維持される。
【００５６】
また、本実施形態では、図１７に示すように、ミスト用液液熱交換器１５の４個の開口たる熱媒入口２０、熱媒出口２１、湯水入口２２、湯水出口２３は、いずれも取付け姿勢を基準として、コントローラ５０側（図１５）に向いて開口している。これにより、建屋の壁３５の外部から浴室室内機７２の内部に取り出した配管を、コントローラ５０とミスト用液液熱交換器１５の間に配しつつ、上記実施形態で示したように、浴室室内機７２の正面側に配管をわざわざ回すことなく各接続口に接続することができるため、浴室室内機７２内部で配管が占めるスペースを小さくできる。なお、ミスト熱媒用開閉弁１６は、この配管が占める設置スペース内で、縦置きの姿勢にされて熱媒入口２０に直接的に接続されている。
【００５７】
さらに、図１７に示すようにミスト用液液熱交換器１５の湯水入口２２に接続された筐体給水路４６が、湯水出口２３に接続されたノズル往き流路４７よりコントローラ５０側に位置している。さらに、筐体給水路４６は、熱媒入口２０に接続された上流側熱媒体分岐流路４５及び熱媒出口２１に接続された流路よりコントローラ５０側に位置している。換言すると、筐体給水路４６は、ミスト用液液熱交換器１５に接続された他の流路よりコントローラ５０に対してより近い位置に配されている。即ち、他の流路より低温の湯水が流れる筐体給水路４６が、コントローラ５０に近接している。これにより、コントローラ５０に対して、ミスト用液液熱交換器１５に接続された流路から発せられる湯水及び熱媒体が有する熱の影響が及びにくくなるため、熱の影響によりコントローラ５０に不具合が生じることを防止できる。
【００５８】
また、ミスト用液液熱交換器１５を単独で観察すると、先に説明したように、熱交筐体２９内部に積層された流路は偶数層である。そのため、図１２に示すように、熱交筐体２９における前記４個の開口が設けられた外壁に隣接する流路には低温の湯水が流れ、その流路に対して積層方向反対側の外壁に隣接する流路には高温の熱媒体が流れる。なお、熱交筐体２９の外壁の内、低温の湯水にのみ隣接する外壁を低温側外壁２９ａとしている。
【００５９】
前記したように、本実施形態では、ミスト用液液熱交換器１５が厚み側の面を浴室室内機７２の正面側に向けて縦置きにされ、熱交筐体２９の低温側外壁２９ａをコントローラ５０側に向けて配置されている。即ち、ミスト用液液熱交換器１５の低温側外壁２９ａをコントローラ５０側に向けることにより、ミスト用液液熱交換器１５を流れる高温の熱媒体や加熱された湯水の熱が、コントローラ５０の周囲の温度を昇温することを防止できる。さらには、低温側外壁２９ａにより、ミスト用液液熱交換器１５とコントローラ５０との間に配された高温の湯水及び熱媒体の影響で、コントローラ５０の周囲の温度の昇温を緩和することができる。即ち、本実施形態のミスト機能付浴室暖房装置７１は、浴室室内機７２内部が昇温して、コントローラ５０に不具合が生じることを防止できる。
【００６０】
従って、本実施形態のミスト機能付浴室暖房装置７１は、上記実施形態と同様に、ミスト用液液熱交換器１５をコントローラ５０と暖房用熱交換機６との間に配置することで、浴室室内機７２における湯水や熱媒体の配管の取り出し口を近接した位置にまとめることができる。さらに、本実施形態では、ミスト用液液熱交換器１５を縦置きにしつつ厚み側の面を浴室室内機２の正面側に向けることで、その取り出し口から暖房用熱交換器６及びミスト用液液熱交換器１５に接続する配管が占めるスペースを小さくすることができると共に、ミスト用液液熱交換器１５の左右方向（図１４）に占めるスペースをより小さくできる。これにより、浴室室内機７２における、左右方向の長さを小さくできる。
【００６１】
さらに、本実施形態のミスト機能付浴室暖房装置７１は、ミスト用液液熱交換器１５の低温側外壁２９ａをコントローラ５０側に向けると共に、ミスト用液液熱交換器１５に接続された低温の湯水が流れる流路を他の流路よりコントローラ５０に近づけた配置とすることで、コントローラ５０が熱による影響で不具合を生じることを防止できる。
また、本実施形態のミスト機能付浴室暖房装置７１は、囲繞空間１９の一方の開口を閉塞する閉塞部材としてミスト用液液熱交換器１５を機能させることで、部材点数を減少でき、製造コストを減縮することができる。
【００６２】
上記実施形態では、いずれも暖房用熱交換機６の囲繞空間１９の外側にミスト用液液熱交換器１５を配置した構成を示したが、本発明はこれに限定されず、ミスト用液液熱交換器１５の全部が、図１８（ａ）に示すように、囲繞空間１９の内部に存在するように配置した構成であっても構わない。このような構成とすることで、ミスト用液液熱交換器１５を囲繞空間１９の閉塞部材として機能させつつ、製造コストを減縮でき、さらに浴室室内機をより小型化にすることができる。
また、図１８（ｂ）に示すように、ミスト用液液熱交換器１５の一部を囲繞空間１９に配した構成であっても構わない。この場合、囲繞空間１９の開口のうち、閉塞されていない箇所については、図示しない閉塞部材を配置することが好ましい。即ち、囲繞空間１９における開口が、ミスト用液液熱交換器１５により閉塞できない箇所については、別部材の図示しない閉塞部材を用いて開口を閉塞することが推奨される。なお、ミスト用液液熱交換器１５により閉塞できない箇所を閉塞する場合、例えば、ミスト用液液熱交換器１５に固定できるようなフランジ形状のものなどが挙げられる。
【００６３】
上記実施形態では、屋外ユニット３を備えた構成を示したが、本発明はこれに限定されず、浴室室内機２，７２のみの構成であっても構わない。
【００６４】
上記実施形態では、ミスト熱媒用開閉弁１６をミスト用液液熱交換器１５に直接的に取付け、ミスト水用開閉弁１７は、ミスト用液液熱交換器１５から離れた位置に設けたが、ミスト水用開閉弁１７をミスト用液液熱交換器１５に直接取付けてもよい。さらにミスト熱媒用開閉弁１６とミスト水用開閉弁１７の双方をミスト用液液熱交換器１５に直接取付けてもよい。
図１１は、本発明の他の実施形態であり、ミスト熱媒用開閉弁とミスト用液液熱交換器の双方をミスト用液液熱交換器に取り付けた状態を示す要部斜視図である。
【００６５】
以上説明した実施形態では、ミスト熱媒用開閉弁１６をミスト用液液熱交換器１５の上流側に設けたが、これを下流側に設けてもよい。
【符号の説明】
【００６６】
１，７１    ミスト機能付浴室暖房装置
２，７２    浴室室内機
３    屋外ユニット
５    浴室
６    暖房用熱交換器
７    ミストノズル
１５    ミスト用液液熱交換器
１６    ミスト熱媒用開閉弁
１７    ミスト水用開閉弁
１９    囲繞空間
５０    コントローラ（制御基板）
【図１】
2010101614.tif 000003
【図２】
2010101614.tif 000004
【図３】
2010101614.tif 000005
【図４】
2010101614.tif 000006
【図５】
2010101614.tif 000007
【図６】
2010101614.tif 000008
【図７】
2010101614.tif 000009
【図８】
2010101614.tif 000010
【図９】
2010101614.tif 000011
【図１０】
2010101614.tif 000012
【図１１】
2010101614.tif 000013
【図１２】
2010101614.tif 000014
【図１３】
2010101614.tif 000015
【図１４】
2010101614.tif 000016
【図１５】
2010101614.tif 000017
【図１６】
2010101614.tif 000018
【図１７】
2010101614.tif 000019
【図１８】
2010101614.tif 000020